【事件の表示】
　特願２００５−３７５６３３「コンテンツ探索画面の表示方法」拒絶査定不服審判事件〔平成１９年　７月１２日出願公開、特開２００７−１７９２０７〕について、次のとおり審決する。
【結　論】
　本件審判の請求は、成り立たない。
【理　由】
第１．手続の経緯
　
１．手続の経緯の概要
　本件審判請求に係る出願（以下「本願」と記す。）は、
平成１７年１２月２７日付けの出願であって、
平成２０年１２月１２日付けで審査請求がなされ、
同日付けで手続補正書が提出され、
平成２２年１２月２７日付けで拒絶理由通知（平成２３年１月５日発送）がなされ、
平成２３年３月７日付けで意見書が提出されるとともに、
同日付けで手続補正書が提出され、
平成２３年１２月１６日付けで拒絶査定（平成２３年１２月２０日謄本送達）がなされたものである。
　本件審判請求は、
平成２４年３月１９日付けで「原査定を取り消す、本願は特許をすべきものであるとの審決を求める」との趣旨でなされたものであり、
同日付けで手続補正書が提出されたものである。
　なお、平成２４年４月１７日付けで特許法第１６４条第３項に定める報告（前置報告）がなされ、
平成２４年１２月１７日付けで当該報告に対する意見を求める旨の審尋（平成２４年１２月１８日発送）がなされ、これに対して
平成２５年２月１４日付けで回答書が提出されている。
　
　
２．補正の内容
（１）平成２３年３月７日付け手続補正
　上記平成２３年３月７日付けの手続補正書は特許請求の範囲を以下のとおりに補正するとともに、発明の詳細な説明をこれに合わせて補正するものである。
「　【請求項１】
　記憶部に保存されたコンテンツの中から所望のコンテンツを選択するためのコンテンツ探索画面を画面表示するコンテンツ探索画面の表示方法であって、
　操作部からの操作に従って該記憶部に記憶されたコンテンツ探索画面を読み出して、情報表示部に表示し、
　該コンテンツ探索画面にコンテンツリストを表示するコンテンツリスト表示エリアを設け、
　該コンテンツ表示エリアの少なくとも２つの辺側毎に、コンテンツ探索のための異なる探索条件を表わす探索条件選択釦を表示した探索条件の表示エリアを設け、
　該探索条件選択釦を選択することにより、コンテンツの探索条件を設定し、設定された該探索条件に応じた該コンテンツリストを該コンテンツリスト表示エリアに表示させ、
　該探索条件の少なくとも１つは階層構造をなして、上位階層の探索条件と下位階層の探索条件毎に表示エリアが設けられて、夫々毎に探索条件の選択釦が設けられ、
　該上位階層の探索条件の表示エリアでの任意の探索条件の該選択釦を選択することにより、選択された該選択釦の探索条件に対する下位階層の探索条件の表示エリアに該選択釦が表示され、かつ選択された該上位階層の探索条件の選択釦以外の該上位階層の選択釦も選択可能な状態で表示される
　ことを特徴とするコンテンツ探索画面の表示方法。
　　【請求項２】
　請求項１において、
　前記コンテンツ探索画面には、任意の選択釦を選択するためのカーソルが表示され、
　前記上位階層の探索条件の前記選択釦のいずれかが該カーソルによりフォーカスされて選択されると、選択された該選択釦の探索条件に対する下位階層の探索条件の表示エリアに該カーソルが移動して該下位階層の探索条件の選択釦のいずれかがフォカスされた状態で表示され、
　該状態で、該カーソルを該上位階層の探索条件の選択釦に移動して、該上位階層の探索条件の選択釦を選択可能である
　ことを特徴とするコンテンツ探索画面の表示方法。
　　【請求項３】
　請求項１または２において、
　前記上位階層の探索条件の表示エリアでの前記選択釦を２以上選択可能であって、
　前記選択釦が２以上選択されることにより、前記コンテンツリスト表示エリアに表示される前記コンテンツリストでのコンテンツは、選択された選択釦に対する探索条件の少なくともいずれかを満たすコンテンツであることを特徴とするコンテンツ探索画面の表示方法。
　　【請求項４】
　請求項３において、
　１つの辺で前記探索条件選択釦が２以上選択されることにより、前記コンテンツリスト表示エリアに表示される前記コンテンツリストでのコンテンツが、選択された前記探索条件選択釦に対する選択条件の少なくともいずれかを満たすコンテンツであり、
　他の辺で前記探索条件選択釦が選択されることにより、前記コンテンツリスト表示エリアに表示される前記コンテンツリストでのコンテンツは、１つの辺で選択された前記探索条件選択釦に対する探索条件を満たし、かつ他の辺で選択された前記探索条件選択釦の探索条件を満たすコンテンツである
　ことを特徴とするコンテンツ探索画面の表示方法。
　　【請求項５】
　請求項１〜４のいずれか１つにおいて、
　前記探索条件の表示エリアには夫々、１つ／全て選択釦が設けられ、該１つ／全て選択釦の操作により、全ての前記探索条件選択釦が選択された状態といずれか１つの前記探索条件選択釦が選択された状態とを切り替え可能とすることを特徴とするコンテンツ探索画面の表示方法。
　　【請求項６】
　請求項１〜５のいずれか１つにおいて、
　前記探索条件の表示エリアには夫々、状態選択釦が設けられ、全ての前記探索条件選択釦が選択された状態と任意の個数の前記探索条件選択釦を選択可能とする状態とを切り替え可能とすることを特徴とするコンテンツ探索画面の表示方法。
　　【請求項７】
　請求項１〜６のいずれか１つにおいて、
　複数のソート選択釦を設け、該ソート選択釦の選択操作により、選択操作された該ソート選択釦に応じた配列順序に該コンテンツリストの並び換えを行なうことを特徴とするコンテンツ探索画面の表示方法。
　　【請求項８】
　請求項１〜７のいずれか１つにおいて、
　前記コンテンツリストでの選択されたコンテンツには、サムネイルが表示されることを特徴とするコンテンツ探索画面の表示方法。
　　【請求項９】
　請求項１〜８のいずれか１つにおいて、
　前記コンテンツリスト表示エリアに表示される前記コンテンツリストのいずれかのコンテンツを選択することにより、処理メニューが表示され、
　該処理メニューにより、選択された該コンテンツの再生，削除，他の機器の記録媒体へ移動，コピーのいずれかの処理を選択可能とした
　ことを特徴とするコンテンツ探索画面の表示方法。
　　【請求項１０】
　請求項１〜９のいずれか１つにおいて、
　前記コンテンツリスト表示エリアに表示される前記コンテンツリストは、放送番組信号から取得した電子番組表であって、該電子番組表に選択された前記探索条件選択釦による探索条件に応じた録画済み番組が表示されることを特徴とするコンテンツ探索画面の表示方法。
　　【請求項１１】
　請求項１〜１０のいずれか１つにおいて、
　前記コンテンツリスト表示エリアに表示される前記コンテンツリストは、コンテンツのサムネイルが三次元的に配列されて表示されることを特徴とするコンテンツ探索画面の表示方法。
　　【請求項１２】
　請求項１〜１１のいずれか１つにおいて、
　前記コンテンツリスト表示エリアにリスト表示されるコンテンツは、録画済み番組，録画予約済み番組，録画も録画予約もされていない番組であることを特徴とするコンテンツ探索画面の表示方法。」
　
（２）平成２４年３月１９日付け手続補正
　上記平成２４年３月１９日付けの手続補正書は特許請求の範囲を以下のとおりに補正するとともに、発明の詳細な説明をこれに合わせて補正しようとするものである。
「　【請求項１】
　記憶部に保存されたコンテンツの中から所望のコンテンツを選択するためのコンテンツ探索画面を画面表示するコンテンツ探索画面の表示方法であって、
　操作部からの操作に従って該記憶部に記憶されたコンテンツ探索画面を読み出して、情報表示部に表示し、
　該コンテンツ探索画面にコンテンツリストを表示する
矩形状の
　該
矩形状の
四辺を囲うように、それぞれの辺
　該探索条件選択釦を選択することにより、コンテンツの探索条件を設定し、設定された該探索条件に応じた該コンテンツリストを該コンテンツリスト表示エリアに表示させ、
　該探索条件の少なくとも１つは階層構造をなして、上位階層の探索条件と下位階層の探索条件毎に表示エリアが設けられて、夫々毎に探索条件の選択釦が設けられ、
　該上位階層の探索条件の表示エリアでの任意の探索条件の該選択釦を選択することにより、選択された該選択釦の探索条件に対する下位階層の探索条件の表示エリアに該選択釦が表示され、かつ選択された該上位階層の探索条件の選択釦以外の該上位階層の選択釦も選択可能な状態で表示される
　ことを特徴とするコンテンツ探索画面の表示方法。
　　【請求項２】
　請求項１において、
　前記コンテンツ探索画面には、任意の選択釦を選択するためのカーソルが表示され、
　前記上位階層の探索条件の前記選択釦のいずれかが該カーソルによりフォーカスされて選択されると、選択された該選択釦の探索条件に対する下位階層の探索条件の表示エリアに該カーソルが移動して該下位階層の探索条件の選択釦のいずれかがフォカスされた状態で表示され、
　該状態で、該カーソルを該上位階層の探索条件の選択釦に移動して、該上位階層の探索条件の選択釦を選択可能である
　ことを特徴とするコンテンツ探索画面の表示方法。
　　【請求項３】
　請求項１または２において、
　前記上位階層の探索条件の表示エリアでの前記選択釦を２以上選択可能であって、
　前記選択釦が２以上選択されることにより、前記コンテンツリスト表示エリアに表示される前記コンテンツリストでのコンテンツは、選択された選択釦に対する探索条件の少なくともいずれかを満たすコンテンツであることを特徴とするコンテンツ探索画面の表示方法。
　　【請求項４】
　請求項３において、
　１つの辺で前記探索条件選択釦が２以上選択されることにより、前記コンテンツリスト表示エリアに表示される前記コンテンツリストでのコンテンツが、選択された前記探索条件選択釦に対する選択条件の少なくともいずれかを満たすコンテンツであり、
　他の辺で前記探索条件選択釦が選択されることにより、前記コンテンツリスト表示エリアに表示される前記コンテンツリストでのコンテンツは、１つの辺で選択された前記探索条件選択釦に対する探索条件を満たし、かつ他の辺で選択された前記探索条件選択釦の探索条件を満たすコンテンツである
　ことを特徴とするコンテンツ探索画面の表示方法。
　　【請求項５】
　請求項１〜４のいずれか１つにおいて、
　前記探索条件の表示エリアには夫々、１つ／全て選択釦が設けられ、該１つ／全て選択釦の操作により、全ての前記探索条件選択釦が選択された状態といずれか１つの前記探索条件選択釦が選択された状態とを切り替え可能とすることを特徴とするコンテンツ探索画面の表示方法。
　　【請求項６】
　請求項１〜５のいずれか１つにおいて、
　前記探索条件の表示エリアには夫々、状態選択釦が設けられ、全ての前記探索条件選択釦が選択された状態と任意の個数の前記探索条件選択釦を選択可能とする状態とを切り替え可能とすることを特徴とするコンテンツ探索画面の表示方法。
　　【請求項７】
　請求項１〜６のいずれか１つにおいて、
　複数のソート選択釦を設け、該ソート選択釦の選択操作により、選択操作された該ソート選択釦に応じた配列順序に該コンテンツリストの並び換えを行なうことを特徴とするコンテンツ探索画面の表示方法。
　　【請求項８】
　請求項１〜７のいずれか１つにおいて、
　前記コンテンツリストでの選択されたコンテンツには、サムネイルが表示されることを特徴とするコンテンツ探索画面の表示方法。
　　【請求項９】
　請求項１〜８のいずれか１つにおいて、
　前記コンテンツリスト表示エリアに表示される前記コンテンツリストのいずれかのコンテンツを選択することにより、処理メニューが表示され、
　該処理メニューにより、選択された該コンテンツの再生，削除，他の機器の記録媒体へ移動，コピーのいずれかの処理を選択可能とした
　ことを特徴とするコンテンツ探索画面の表示方法。
　　【請求項１０】
　請求項１〜９のいずれか１つにおいて、
　前記コンテンツリスト表示エリアに表示される前記コンテンツリストは、放送番組信号から取得した電子番組表であって、該電子番組表に選択された前記探索条件選択釦による探索条件に応じた録画済み番組が表示されることを特徴とするコンテンツ探索画面の表示方法。
　　【請求項１１】
　請求項１〜１０のいずれか１つにおいて、
　前記コンテンツリスト表示エリアに表示される前記コンテンツリストは、コンテンツのサムネイルが三次元的に配列されて表示されることを特徴とするコンテンツ探索画面の表示方法。
　　【請求項１２】請求項１〜１１のいずれか１つにおいて、
　前記コンテンツリスト表示エリアにリスト表示されるコンテンツは、録画済み番組，録画予約済み番組，録画も録画予約もされていない番組であることを特徴とするコンテンツ探索画面の表示方法。」
　
　
第２．平成２４年３月１９日付けの手続補正についての補正却下の決定
　
［補正却下の決定の結論］
　平成２４年３月１９日付けの手続補正を却下する。
　
　
［理由］
１．本件補正の内容
　平成２４年３月１９日付けの手続補正（以下「本件補正」と記す。）は、特許請求の範囲について、上記第１．２．（１）記載の特許請求の範囲から、上記第１．２．（２）記載の特許請求の範囲に補正しようとするものである。
　
　
２．本件補正の目的について
　本件補正は上記第１．１．に記したとおり上記審判の請求と同時にする補正であり、上記１．のとおり特許請求の範囲についてする補正を含むものであるから、以下に、本件補正における特許請求の範囲についてする補正の目的について検討する。
　
（１）本件補正は、本件補正前の請求項１記載の発明を特定するための事項（以下「発明特定事項」と記す。）であるところの「該コンテンツ探索画面にコンテンツリストを表示するコンテンツリスト表示エリア」及び「該コンテンツ表示エリアの少なくとも２つの辺側毎に、コンテンツ探索のための異なる探索条件を表わす探索条件選択釦を表示した探索条件の表示エリア」を、それぞれ、より下位の「該コンテンツ探索画面にコンテンツリストを表示する矩形状のコンテンツリスト表示エリア」及び「該矩形状のコンテンツ表示エリアの四辺を囲うように、それぞれの辺側毎に、コンテンツ探索のための異なる探索条件を表わす探索条件選択釦を表示した探索条件の表示エリア」に限定するものであり、この限定によって、本件補正前後の請求項１に係る発明の産業上の利用分野及び解決しようとする課題が格別変更されるものではない。
　したがって、本件補正の目的は、請求項に記載した発明特定事項を限定するものであって、その補正前の当該請求項に記載された発明とその補正後の当該請求項に記載される発明の産業上の利用分野及び解決しようとする課題が同一であるもの（以下「限定的減縮」と記す。）に該当し、特許法第１７条の２第４項第２号に掲げられる事項を目的とするものである。
　
　
３．独立特許要件について
　上記２．のとおり、本件補正は限定的減縮を目的とするものであるので、本件補正後の請求項１に記載されている事項により特定される発明（以下、「本件補正発明」という。）が特許出願の際独立して特許を受けることができるものであるか否かについて、以下に検討する。
　
　
３−１．本件補正発明
　本件補正発明は、上記第１．２．（２）において【請求項１】として記載したとおりのものである。
　
　
３−２．先行技術
　
（１）引用文献
　本願の出願前に頒布又は電気通信回線を通じて公衆に利用可能となり、原審の拒絶の査定の理由である上記平成２２年１２月２７日付けの拒絶理由通知において引用された、下記引用文献には、下記引用文献記載事項が記載されている。（下線は当審付与。）
　
　
＜引用文献１＞
特開２００３−３３０９４２号公報（平成１５年１１月２１日出願公開）
　
　＜引用文献記載事項１−１＞
「【特許請求の範囲】
【請求項１】　
複数のディジタルデータから所定の条件を満たすディジタルデータを検索し、その検索結果を表示手段に表示するディジタルデータ検索装置
前記ディジタルデータと各ディジタルデータが生成された条件を表わす第１属性データ及び第２属性データとを対応付けて格納するデータ記憶手段と、前記第１属性データに基づいて前記ディジタルデータをｉ個（ｉは２以上の整数）の集合に分類する第１分類手段と、前記第２属性データに基づいて前記ディジタルデータをｊ個（ｊは２以上の整数）の集合に分類する第２分類手段と、外部からの入力を受け付けて前記ｉ個の集合の中から１の集合を選定する第１選定手段と、外部からの入力を受け付けて前記ｊ個の集合の中から１の集合を選定する第２選定手段と、前記第１選定手段により選定された集合と前記第２選定手段により選定された集合との積集合を求める抽出手段と、前記積集合に含まれるディジタルデータを前記表示手段に表示する表示制御手段とを備える
【請求項２】　
前記ｉ個の各集合の特徴を表わす第１インデックスを付与する第１インデックス付与手段と、前記ｊ個の各集合の特徴を表わす第２インデックスを付与する第２インデックス付与手段とを更に備え、前記第１選定手段及び前記第２選定手段は、外部から前記第１及び第２インデックスが指定されることによって集合を選定する
【請求項３】　
前記表示制御手段は、前記第１インデックスと前記第２インデックスとを前記表示手段に互いに交差する方向に表示する
ディジタルデータ検索装置
　
　＜引用文献記載事項１−２＞
「【０００１】
【発明の属する技術分野】本発明は、
複数のディジタルデータから所定の条件を満たすディジタルデータを検索し、その検索結果を表示手段に表示するディジタルデータ検索装置
　
　＜引用文献記載事項１−３＞
「【００２５】
【発明の実施の形態】図１は、本発明の一実施形態に係るディジタルデータ検索システムの概略構成を示す図である。この図１に示すディジタルデータ検索システム１は、ディジタルデータ検索装置を構成するサーバ装置２と、このサーバ装置２とネットワーク３を介して相互に通信可能に接続された複数の端末装置（クライアント端末装置）４とを備える。ここで、ネットワーク３としてはインターネットが使用され、ＴＣＰ／ＩＰ（Transmission Control Protocol/Internet Protocol）に従いサーバ装置２及び端末装置４間で相互に種々の情報が送受信される。なお、ネットワーク３はインターネットに限定されず、イントラネット等の他のネットワーク、または、インターネット、イントラネット等の種々のネットワークを組み合わせたものであってもよい。また、サーバ装置２及び複数の端末装置４は、専用回線によって相互に接続されている形態であってもよい。
【００２６】また、ネットワーク３としてインターネットを使用する場合、各端末装置４は通常はモデム等を介して所定のプロバイダサーバに接続され、プロバイダサーバを経由してネットワーク３に接続される場合が多いが、このプロバイダサーバの図示及び説明を省略している。
【００２７】図２は、サーバ装置２の主要部の構成を示すブロック図である。この図において、サーバ装置２は、端末装置４から送信されてきたデータであって、ディジタルカメラ等により撮影されて取り込まれた
画像データ
画像データ
画像データ
【００２８】記憶部２１は、ユーザＩＤ等のユーザの個人情報を格納する個人情報記憶部２１１と、
画像データ
【００２９】個人情報記憶部２１１は、ユーザの登録情報であるユーザＩＤをパスワードに対応付けて格納するものである。ユーザＩＤは、各ユーザのサーバ装置２における識別情報である。パスワードは、個人認証用のものであって、登録されているユーザ以外のユーザからの不正なアクセスを防止するためのものである。」
　
　＜引用文献記載事項１−４＞
「【００４７】
表示制御部２６０は、端末装置４に備えられた表示部４７のモニタの検索画面表示領域に第１インデックス及び第２インデックス等からなる検索画面を表示すると共に、端末装置４に備えられた表示部４７のモニタの検索結果表示領域に抽出部２５９により求められた集合に属する画像データに対応する画像を表示するものである
　
　＜引用文献記載事項１−５＞
「【００５８】図１０は、図８に示す写真画像ボックス８の検索ボタン８５が操作されることにより表示される検索画面１０を示す図である。
この検索画面１０は、上端部に左右方向に沿って配設された第１の表示領域１０１と、右端部に上下方向に沿って配設された第２の表示領域１０２と、第１，第２の表示領域１０１，１０２を除いた領域に配設された画像表示領域１０３とで構成されている
【００５９】
第１の表示領域１０１には、日付データに基づく複数の第１インデックスを左右方向に並べて表示する第１インデックス表示領域１０４
が設けられている。
【００６０】
第２の表示領域１０２には、位置データに基づく複数の第２インデックスを上下方向に並べて表示する第２インデックス表示領域１０９
が設けられている
【００６１】
画像表示領域１０３には、
４つの画像が縦横に並べた状態で表示されている。
　
　＜引用文献記載事項１−６＞
「【００７１】次に、図１１に示すフローチャートのステップ＃１５における検索動作について、図１２に示すフローチャートを参照して説明する。
まず、
端末装置４の表示部４７に検索画像の表示を行うまでの処理である前処理（初期処理）が実行される（ステップ＃１０１）
・・・（中略）・・・
【００７４】このステップ＃１０７での判別が肯定されると、位置データの分類個数ｊの変更処理が制御部２５の第２選択部２５８により実行される（ステップ＃１０９）。また、ステップ＃１０７での判別が否定されたとき、及び、ステップ＃１０９での分類個数ｊの変更処理が終了したとき、引き続いて
日付データについてのｉ個の集合から１つの集合ＴＳが選択される（ステップ＃１１１）。この選択は、図１０に示す検索画像１０の第１インデックス表示領域１０４に表示されている所定のインデックス（例えば、０１/３/２７）を操作した後に端末装置４の入力部４５の確定キー等を操作することにより実行されることになる
【００７５】
次いで、位置データについてのｊ個の集合から１つの集合ＰＳが選択される（ステップ＃１１３）。この選択は、図１０に示す検索画像１０の第２インデックス表示領域１０９に表示されている所定のインデックス（例えば、幕張メッセ付近、北緯/東経３３.２９.４６/１３４.４０.４０）を操作した後に端末装置４の入力部４５の確定キー等を操作することにより実行されることになる
【００７６】
次いで、日付データについてのｉ個の集合から選択された１つの集合ＴＳと、位置データについてのｊ個の集合から選択された１つの集合ＰＳとの積集合ＰＲＳが求められる（ステップ＃１１５）。この積集合ＰＲＳを求める動作は、ステップ＃１１３で位置データについてのｊ個の集合から１つの集合ＰＳを選択した後に端末装置４の入力部４５の確定キー等を操作することにより実行されることになる
【００７７】次いで、
ステップ＃１１５で求めた積集合ＰＲＳに含まれる画像データに基づく画像が端末装置４の表示部４７に表示される（ステップ＃１１７）
　
　＜引用文献記載事項１−７＞
「【００９６】（６）上記実施形態では、ディジタルデータ検索システム１は、ディジタルデータが画像データ（静止画像データは勿論、動画像データも含む。）である場合（すなわち、ディジタルデータ検索システムが画像データ検索システムである場合）について説明しているが、これに限るものではない。例えば、ディジタルデータが
音声データ
音声データ
　
　＜引用文献記載事項１−８＞
「【００９９】（９）
上記実施形態では、第１インデックスは日付データに関するものであり、第２インデックスは位置データに関するものであるが、これに限るものではない。例えば、撮影画像の場合であれば、レンズのＦＮｏ.、被写体距離、画像サイズ等の種々の撮影情報をインデックスとして用いることができる。
　
　
＜引用文献２＞
特開２００２−４９６３５号公報（平成１４年２月１５日出願公開）
　
　＜引用文献記載事項２−１＞
「【００２０】利用者は，ＷＷＷサーバ４を利用して自分が希望する情報を検索する。このときの流れを図６に示すフローチャートに従って説明する。まず利用者は，利用者クライアント１を通じてＷＷＷサーバ４のホームページに接続する（Ｓ１０１）。図２に示すように，ホームページには，マトリックス表２０が表示される。マトリックス表２０の縦軸（行）の検索項目欄及び横軸（列）の検索項目欄には，各検索項目が記されており，利用者は，例えば利用者クライアント１のディスプレイに表示されたマトリックス表２０のある一つの升目を，マウスでクリック（指示）することで，選択された升目の縦軸にあたる検索項目欄の検索項目と横軸にあたる検索項目欄の検索項目をＡＮＤ（論理積）条件でキーワード入力する。ＷＷＷサーバ４では，検索手段１３が，マトリックス表２０の升目によって選択された縦軸にあたる検索項目欄の検索項目と横軸にあたる検索項目欄の検索項目をＡＮＤ条件として，データベース１２の中から情報を検索し（Ｓ１０２），
その検索結果に基づいて下位階層のマトリックス表を作成する。この下位階層のマトリックス表は，ＷＷＷサーバ４の通信手段１０により利用者クライアント１に送信される。利用者は，この下位階層のマトリックス表から情報を絞り込む必要があるか否か判断し（Ｓ１０３），絞り込む必要がある場合（Ｓ１０３：ＹＥＳ）には，この下位階層のマトリックス表から升目を選択してクリックし，先と同様に検索を行うようにＷＷＷサーバ４に要求する。こうして，マトリックス表は，検索が行われるごとに，より下位階層に分類されたマトリックス表に切り替わる
・・・（中略）・・・
【００２７】しかも，
検索を行う一方で戻るボタン３２をクリックすることで，下位階層や上位階層のマトリックス表を自在に表示することができる
　
　
＜引用文献３＞
特開２００３−３３７８３２号公報（平成１５年１１月２８日出願公開）
　
　＜引用文献記載事項３−１＞
「【請求項１】　分類構造に従って分類されるデータ項目のデータベースに関係して使用するためのデータベース問合せ構成であって、
ユーザが前記分類構造内で分類レベルを選択することができるようにし、
前記選択に応答して、少なくとも２つの次元を有する結果テーブルが前記ユーザに提示され、
前記次元の１つは、前記分類構造の前記選択されたレベルにおける分類の見出しを提供し、
もう１つの前記次元は、提供された前記見出し内のデータ項目の内容の分類された追加の識別を表し、
実質的に前記テーブルの各ポイントが、対応する前記見出し内のデータ項目の少なくとも数を示し、且つ、対応する追加の識別に関係する内容を有するデータベース問合わせ構成。
【請求項２】　
前記分類構造のレベルの前記分類の見出しを提示されたユーザが、提示された前記見出しの１つを選択することによって１つ低いレベルを選択することができる
【請求項３】　
前記ユーザが、１つ高いレベルを選択することができる
・・・（中略）・・・
【請求項１８】　分類構造に従って分類されるデータ項目のデータベースに関係して使用するためのデータベース問合せ装置であって、
ユーザによって操作されて前記分類構造内で分類レベルを選択する選択手段と、
選択に関して、少なくとも２つの次元を有し、前記次元の１つが前記分類構造の前記選択されたレベルにおける分類の見出しを提供し、もう１つの前記次元が、提供された前記見出し内のデータ項目の内容の分類された追加の識別を表す結果テーブルを提示するように動作することができる提示手段と、を備え、実質的に前記テーブルの各ポイントが、対応する見出し内のデータ項目の少なくとも数を示し、且つ、対応する追加の識別に関係する内容を有する問合わせ装置。
【請求項１９】　
前記選択手段が、前記分類構造のレベルの分類の見出しの提示を受けたユーザが、提示された前記見出しの１つを選択することによって、１つ低いレベルを選択することを可能にするように動作することができる
【請求項２０】　
前記選択手段が、ユーザが１つ高いレベルを選択することを可能にするように動作することができる
　
　＜引用文献記載事項３−２＞
「【００２７】分類構造
本発明の構成の更なる説明は、本発明の技術を適用することができる架空のデータベースの例を参照することによって容易になる。
【００２８】図３は、本発明に従ってそのようなデータベースに対して使用され得る分類構造を示している。この例では、データベースは、様々なヨーロッパの国内での旅行に関係する個々のデータ項目を含む。
図３は、このデータベースの分類構造の階層ツリーのリム（ｌｉｍｂ）３８の幾つかを示している。最も高いレベル４０では、全てのデータ項目はヨーロッパ内の旅行に関係することが求められている。他の可能なデータ項目は、このデータベースから除外される。１つ低いレベル４２では、３つの分類見出しがフランス、英国及びドイツとして示されている。これは、利用可能な場合には、データベースのデータ項目が保持されるヨーロッパ内の国々を表している。ツリー３８は、これに関しては、３つの国だけを参照するように単純化されている。実際には、レベル４２には更なるヨーロッパの国々が存在し得る
【００２９】更に１つ低いレベル４４では、４２における各国には、その国の地域を識別する分類見出しが与えられる。この例では、英国の３つの地域が４４に表されている
【００３０】
この例のツリー３８における最も低いレベルである第４のレベル４６は、都市を表している。この例では、中部地方の分類の中の分類見出しとして、２つの都市だけが与えられている
・・・（中略）・・・
【００３５】
本発明によれば、問合せ構成は、ユーザが、列の見出しとして使用される分類見出しの１つを選択してツリー３８の次に低いレベルに移動することができるようにする。これは、ＨＴＭＬ言語でソフトウェアを適切に符号化することによって達成され、マウス又は他のカーソル制御デバイスを使用して列の見出しを選択することができる
　
（２）参考文献
　本願の出願前に頒布又は電気通信回線を通じて公衆に利用可能となされた下記参考文献には、それぞれ、下記参考文献記載事項が記載されている。（下線は当審付与。）
　
　
＜参考文献１＞
特開２００２−２２２４７１号公報（平成１４年８月９日出願公開）
　
　＜参考文献記載事項１−１＞
「【００２９】画面３１において表示される機能は、前述のように階層構造により系統立てられ、主画面３１ａには、３段階の階層構造を表示可能になっており、１頁目（図２（ａ））は２段階、２頁目（図２（ｂ））及び３頁目（図３）は３段階の表示となっている。「画面一覧」画面では、主画面３１ａの最左側に、階層構造の最上層に位置し互いに独立している機能が示されている。これらのうち、「保守設定」を除く、「１警報」、「２異常／故障」、「３防排煙制御」、「４連動停止」、「５訓練」と、さらに「画面一覧」の各項目については、タブ表示部３１ｃの
タブボタン
　
　
＜参考文献２＞
特開２００４−２２１６７２号公報（平成１６年８月５日出願公開）
　
　＜参考文献記載事項２−１＞
「【００５５】
なお、このライブラリ・ビューワー／ライブラリ画面３９でも、ライブラリ表示エリア３５において、ジャンルの
タブ切替ボタン
【００５６】
このようにして、ライブラリ９の希望するファイルを、ライブラリエリア４０での「ファイル切替」ボタン２９ａやライブラリファイルリスト表示エリア４２でのジャンルファイルリスト４２ａを用いて、さらには、
タブ切替ボタン
タブ切替ボタン
　
　
＜参考文献３＞
特開平９−３２５８７８号公報（平成９年１２月１６日出願公開）
　
　＜参考文献記載事項３−１＞
「【０００７】主表示エリアの周囲に各階層の選択メニューを表示するにあたり、主表示エリアの周囲であって直に選択可能な場所であればよい。例えば、請求項２にかかる発明は、請求項１に記載のメニュー選択装置において、矩形の主表示エリアの各辺を階層の深さに対応し、各辺に各層の選択メニューを表示した構成としてある。
矩形の主表示エリアの各辺を利用することにより、少なくとも四階層まで同時に表示される。
　
　＜参考文献記載事項３−２＞
「【００１９】また、タブ状に表示しているが、
普通に枠を仕切って表示するようにしても良い。
業務表示ウィンドウ２２１には四辺あるので、他の二つの階層を残りの二辺に割り当てて表示するようにしても良い。
　
　
＜参考文献４＞
特開２００４−２８７５０１号公報（平成１６年１０月１４日出願公開）
　
　＜参考文献記載事項４−１＞
「【００２１】
次に図７に、本発明に係る診療支援システムの第三の実施形態における診断情報作成画面を示す。本実施形態は、第一、第二の実施形態とシステム構成は同じであるが、定型句候補表示部１１ａのみが第一、第二の実施形態と違う形式となっている。
本実施形態は、定型句候補表示部１１ａにおけるタブ３０を上辺１１ｂと右辺１１ｃのみでなく、左辺１１ｄと下辺１１ｅを用いた。
　
　
＜参考文献５＞
特開２００１−１２５９１３号公報（平成１３年５月１１日出願公開）
　
　＜参考文献記載事項５−１＞
「【請求項１】　アイコンの内、
上位の階層の複数の第１のアイコン、および前記第１のアイコンより下位の階層の複数の第２のアイコンが、所定の数の列または行に、階層の順番に従って、表示されるように、表示する領域の広さに対応して表示を制御する第１の表示制御手段と
前記第１および第２のアイコンの中から所定のアイコンを指定する指定手段と
前記指定手段により前記第２のアイコンが指定された場合、前記第２のアイコンより下位の第３のアイコンを、新たな前記第２のアイコンとして表示させ、かつ、それまでの前記第２のアイコンを、新たな前記第１のアイコンとして表示させるか、または、
前記指定手段により前記第１のアイコンが指定された場合、前記第１のアイコンより上位の第４のアイコンを、新たな前記第１のアイコンとして表示させ、かつ、それまでの前記第１のアイコンを、新たな前記第２のアイコンとして表示させるように表示を制御する第２の表示制御手段
　
　
＜参考文献６＞
特開２００４−３１８６５５号公報（平成１６年１１月１１日出願公開）
　
　＜参考文献記載事項６−１＞
「【請求項１】
上位から下位にツリー状に階層化して関連づけた地域、地名、施設、商品又はサービス又はその他の情報、及びそれらの内容に関する情報を蓄積したメモリと、前記メモリ内の１以上の階層の複数の情報を対応した画面として同時に可視表示できる表示部と、
表示された画面から前記ツリーに従って直近の上位階層の単一の画面を選択する上位画面選択手段
前記表示部は前記選択手段により特定の見出しを選択し確定したとき、前記選択された見出しに対応する情報の画面（選択画面）を大きく表示する選択画面表示部と、前記選択画面とは同位階層の直近の２つの画面の見出しを小さく表示する同位階層画面表示部とを有し、前記画面選択手段は前記選択画面から前記直近の２つの見出しの１つを選択確定することにより同位階層の他の画面を選択画面表示部に表示するように構成した移動表示装置。」
　
　
＜参考文献７＞
特開２００５−１１１０７号公報（平成１７年１月１３日出願公開）
　
　＜参考文献記載事項７−１＞
「【図３】
　　　　　　　　　　　　　　　　　　　　　　　」
　
３−３．引用発明の認定
　
（１）引用文献１は引用文献記載事項１−１、１−２等記載のごとき「複数のディジタルデータから所定の条件を満たすディジタルデータを検索し、その検索結果を表示手段に表示するディジタルデータ検索装置」を説明する文献であるところ、その発明の詳細な説明（特に引用文献記載事項１−６等）においては、該「ディジタルデータ検索装置」において検索結果を表示手段に表示するための処理手順が説明されている。
　したがって、引用文献１には
「ディジタルデータ検索装置において、複数のディジタルデータから所定の条件を満たすディジタルデータを検索し、その検索結果を表示手段に表示する方法」
が記載されていると言える。
　
（２）また、引用文献１には文献記載事項１−３〜１−６等に「画像データ」を上記「ディジタルデータ」とした実施の形態が開示されており、更に引用文献記載事項１−７には該「ディジタルデータ」は「音声データ」等でもよい旨記載されている。
　したがって、引用文献１からは
「前記ディジタルデータは画像データや音声データ等」
であるものを読み取ることができる。
　
（３）そして、前記「ディジタルデータ検索装置」は引用文献記載事項１−１に記載される如きものであるところ、引用文献記載事項１−６の段落【００７７】の記載などからみて、引用文献記載事項１−１の【請求項１】の「前記積集合に含まれるディジタルデータを前記表示手段に表示する」との記載は「前記積集合に含まれるディジタルデータに基づく画像を前記表示手段に表示する」ことを意味するものと認められる。
　したがって、
「前記ディジタルデータ検索装置は、
　前記ディジタルデータと各ディジタルデータが生成された条件を表わす第１属性データ及び第２属性データとを対応付けて格納するデータ記憶手段と、前記第１属性データに基づいて前記ディジタルデータをｉ個（ｉは２以上の整数）の集合に分類する第１分類手段と、前記第２属性データに基づいて前記ディジタルデータをｊ個（ｊは２以上の整数）の集合に分類する第２分類手段と、外部からの入力を受け付けて前記ｉ個の集合の中から１の集合を選定する第１選定手段と、外部からの入力を受け付けて前記ｊ個の集合の中から１の集合を選定する第２選定手段と、前記第１選定手段により選定された集合と前記第２選定手段により選定された集合との積集合を求める抽出手段と、前記積集合に含まれるディジタルデータに基づく画像を前記表示手段に表示する表示制御手段とを備え、　
　前記ｉ個の各集合の特徴を表わす第１インデックスを付与する第１インデックス付与手段と、前記ｊ個の各集合の特徴を表わす第２インデックスを付与する第２インデックス付与手段とを更に備え、前記第１選定手段及び前記第２選定手段は、外部から前記第１及び第２インデックスが指定されることによって集合を選定するものであり、
　前記表示制御手段は、前記第１インデックスと前記第２インデックスとを前記表示手段に互いに交差する方向に表示するもの」
であると言える。
　
（４）上記引用文献記載事項１−４等の記載から、
「更に、前記表示制御手段は、前記表示手段の検索画面表示領域に前記第１インデックス及び第２インデックス等からなる検索画面を表示すると共に、前記表示手段の検索結果表示領域に前記抽出手段により求められた集合に属するディジタルデータに基づく画像を表示するもの」
であると言える。
　
（５）上記引用文献記載事項１−５における段落【００５８】〜【００６０】の記載等から、
「前記検索画面は、上端部に左右方向に沿って配設された第１の表示領域と、右端部に上下方向に沿って配設された第２の表示領域と、該第１，第２の表示領域を除いた領域に配設された検索結果表示領域とで構成されており、
　前記第１の表示領域は、複数の前記第１インデックスを左右方向に並べて表示する第１インデックス表示領域が設けられているものであり、
　前記第２の表示領域は、複数の前記第２インデックスを上下方向に並べて表示する第２インデックス表示領域が設けられているもの」
であると言える。
　
（６）引用文献記載事項１−５の段落【００６１】記載のとおり、「画像表示領域１０３には」「４つの画像が縦横に並べた状態で表示されている」ところ、引用文献記載事項１−６の段落【００７７】の記載などからみて、該「４つの画像」は前記「積集合」に含まれるディジタルデータに基づく画像であることは明らかである。
　したがって、
「前記検索結果表示領域は、前記積集合に含まれるディジタルデータに基づく画像が縦横に並べた状態で表示されているもの」
であると言える。
　
（７）引用文献記載事項１−６等から
「まず、前記表示手段に検索画面の表示を行うまでの処理である前処理を実行するステップと、
　その後、第１属性データについてのｉ個の集合から１つの集合を選択するステップであって、この選択は、前記検索画面の第１インデックス表示領域に表示されている所定のインデックスを操作した後に確定キー等を操作することにより実行されるものであるステップと、
　次いで、第２属性データについてのｊ個の集合から１つの集合を選択するステップであって、この選択は、前記検索画面の第２インデックス表示領域に表示されている所定のインデックスを操作した後に確定キー等を操作することにより実行されるものであるステップと、
　次いで、第１属性データについてのｉ個の集合から選択された１つの集合と、第２属性データについてのｊ個の集合から選択された１つの集合との積集合を求めるステップであって、この積集合を求める動作は、前記第２属性データについてのｊ個の集合から１つの集合を選択した後に確定キー等を操作することにより実行されるものであり、
　次いで、前記積集合に含まれるディジタルデータに基づく画像を前記表示手段に表示するステップ」
を読み取ることができる。
　
（８）よって、引用文献１には、下記引用発明が記載されていると認められる。
　
＜引用発明＞
「ディジタルデータ検索装置において、複数のディジタルデータから所定の条件を満たすディジタルデータを検索し、その検索結果を表示手段に表示する方法であって、
　前記ディジタルデータは画像データや音声データ等であり、
　前記ディジタルデータ検索装置は、
　前記ディジタルデータと各ディジタルデータが生成された条件を表わす第１属性データ及び第２属性データとを対応付けて格納するデータ記憶手段と、前記第１属性データに基づいて前記ディジタルデータをｉ個（ｉは２以上の整数）の集合に分類する第１分類手段と、前記第２属性データに基づいて前記ディジタルデータをｊ個（ｊは２以上の整数）の集合に分類する第２分類手段と、外部からの入力を受け付けて前記ｉ個の集合の中から１の集合を選定する第１選定手段と、外部からの入力を受け付けて前記ｊ個の集合の中から１の集合を選定する第２選定手段と、前記第１選定手段により選定された集合と前記第２選定手段により選定された集合との積集合を求める抽出手段と、前記積集合に含まれるディジタルデータに基づく画像を前記表示手段に表示する表示制御手段とを備え、　
　前記ｉ個の各集合の特徴を表わす第１インデックスを付与する第１インデックス付与手段と、前記ｊ個の各集合の特徴を表わす第２インデックスを付与する第２インデックス付与手段とを更に備え、前記第１選定手段及び前記第２選定手段は、外部から前記第１及び第２インデックスが指定されることによって集合を選定するものであり、
　前記表示制御手段は、前記第１インデックスと前記第２インデックスとを前記表示手段に互いに交差する方向に表示するものであり、
　更に、前記表示制御手段は、前記表示手段の検索画面表示領域に前記第１インデックス及び第２インデックス等からなる検索画面を表示すると共に、前記表示手段の検索結果表示領域に前記抽出手段により求められた集合に属するディジタルデータに基づく画像を表示するものであり、
　前記検索画面は、上端部に左右方向に沿って配設された第１の表示領域と、右端部に上下方向に沿って配設された第２の表示領域と、該第１，第２の表示領域を除いた領域に配設された検索結果表示領域とで構成されており、
　前記第１の表示領域は、複数の前記第１インデックスを左右方向に並べて表示する第１インデックス表示領域が設けられているものであり、
　前記第２の表示領域は、複数の前記第２インデックスを上下方向に並べて表示する第２インデックス表示領域が設けられているものであり、
　前記検索結果表示領域は、前記積集合に含まれるディジタルデータに基づく画像が縦横に並べた状態で表示されているものであり、
　まず、前記表示手段に検索画面の表示を行うまでの処理である前処理を実行するステップと、
　その後、第１属性データについてのｉ個の集合から１つの集合を選択するステップであって、この選択は、前記検索画面の第１インデックス表示領域に表示されている所定のインデックスを操作した後に確定キー等を操作することにより実行されるものであるステップと、
　次いで、第２属性データについてのｊ個の集合から１つの集合を選択するステップであって、この選択は、前記検索画面の第２インデックス表示領域に表示されている所定のインデックスを操作した後に確定キー等を操作することにより実行されるものであるステップと、
　次いで、第１属性データについてのｉ個の集合から選択された１つの集合と、第２属性データについてのｊ個の集合から選択された１つの集合との積集合を求めるステップであって、この積集合を求める動作は、前記第２属性データについてのｊ個の集合から１つの集合を選択した後に確定キー等を操作することにより実行されるものであり、
　次いで、前記積集合に含まれるディジタルデータに基づく画像を前記表示手段に表示するステップ
を有するものである方法。」
　
　
３−４．対比
　以下、本件補正発明と引用発明とを比較する。
　
（１）引用発明は「ディジタルデータ検索装置において、複数のディジタルデータから所定の条件を満たすディジタルデータを検索し、その検索結果を表示手段に表示する方法」であり「前記ディジタルデータは画像データや音声データ等」であるから、「コンテンツ探索画面の表示方法」と言えるものである。そして、引用発明における「ディジタルデータ」すなわち「画像データや音声データ等」は「データ記憶手段」が「格納する」ものであるから「記憶部に保存されたコンテンツ」とも言えるものである。
　したがって、引用発明も本件補正発明と同様に「記憶部に保存されたコンテンツの中から所望のコンテンツを選択するためのコンテンツ探索画面を画面表示するコンテンツ探索画面の表示方法」と言えるものである。
　
（２）引用発明における「表示手段」「検索画面」は、それぞれ、本件補正発明における「情報表示部」「コンテンツ探索画面」に対応付けられるものであるところ、引用発明においては「外部からの入力を受け付け」た「第１選定手段」及び「第２選定手段」によって「集合を選定」し、「表示制御手段」によって「前記積集合に含まれるディジタルデータに基づく画像を前記表示手段に表示」しており、また、一般的に表示に際しては表示のための記憶手段に表示画面の情報を記憶してから表示するのが通常の構成であるから、引用発明においても本件補正発明と同様に、「操作部からの操作に従って該記憶部に記憶されたコンテンツ探索画面を読み出して、情報表示部に表示」しているとも言える。
　
　なお、本件補正発明におけるコンテンツ探索画面が記憶される記憶部は「該」記憶部、すなわち、コンテンツが保存された記憶部であるのに対し、引用文献１には「検索画面」が何処に記憶されるのかは明示されておらず、ここに一応の相違点が認められる。
　しかしながら、本願の発明の詳細な説明の記載を参酌し、かつ、技術常識を考慮すると（特に本願明細書の段落【００５３】等における「コンテンツ探索画面」が他の装置の記憶装置に保存されるコンテンツの情報も表示するものである旨の記載やＴＶ受像器やレコーダ、ＰＣ等に設けられる記憶手段は通常は単一のものではなく、ＣＰＵが実行中のプログラムを記憶するメインメモリ、ファームウェア記憶用のＲＯＭやコンテンツ等のファイルを記憶する外部記憶装置、画面表示用のＶＲＡＭ等の様々な種類の記憶手段を備えるものであるにもかかわらず、本願明細書の段落【００３０】〜【００４１】及び【図２】【図３】においては記憶手段は「記憶装置１４」「記憶装置２３」しか設けられていない点等を考慮すると）、本件補正発明における「記憶部」は特定の１つの記憶手段を意味するのではなく、システム中の様々な記憶手段（メインメモリ、ＲＯＭ、外部記憶装置、ＶＲＡＭ等）を総称するものと解釈するのが妥当である。してみると、上記一応の相違点は実質的な相違点とは言えない。
　また、ハイパーテキスト型式で構成された検索画面のデータをサーバーからクライアントに送信して検索画面を表示させることは、当業者ならずとも周知の常套手段にすぎないものであり、引用発明における「データ記憶手段」すなわちサーバーの記憶手段に検索画面のデータを記憶するように構成することも当業者であれば通常採用する構成にすぎず、この点から見ても、上記一応の相違点は実質的な相違点となるものではない。
　
（３）引用発明における「検索結果表示領域」は、本件補正発明における「コンテンツリスト表示エリア」に対応付けられるものであるところ、前者は「検索画面」の「上端部に左右方向に沿って配設された第１の表示領域」と「右端部に上下方向に沿って配設された第２の表示領域」を「除いた領域」に配設され、「ディジタルデータに基づく画像が縦横に並べた状態で表示され」る領域なのであるから、後者と同様に「該コンテンツ探索画面にコンテンツリストを表示する矩形状のコンテンツリスト表示エリア」とも言えるものである。
　
（４）引用発明における「第１の表示領域」と「第２の表示領域」は、本件補正発明における「探索条件の表示エリア」に対応付けられるものであるところ、前者はそれぞれ「上端部に左右方向に沿って」「右端部に上下方向に沿って」配設されたものであるから、両者は「該矩形状のコンテンツ表示エリアの複数の辺それぞれの辺側毎に」設けられているものである点で共通する。
　また、引用発明における「インデックス」は「タブボタン」「タブ切替ボタン」とも称されるものにほかならず（参考文献記載事項１−１、２−１等参照）、さらに、その「操作」によって「集合を選択するステップ」が実行されるのであるから、「コンテンツ探索のための異なる探索条件を表わす探索条件選択釦」とも言えるものである。
　したがって、引用発明における「第１の表示領域」と「第２の表示領域」は「コンテンツ探索のための異なる探索条件を表わす探索条件選択釦を表示した探索条件の表示エリア」とも言えるものである。
　したがって、引用発明と本件補正発明は、「該矩形状のコンテンツ表示エリアの複数の辺それぞれの辺側毎に、コンテンツ探索のための異なる探索条件を表わす探索条件選択釦を表示した探索条件の表示エリアを設け」る点で共通するといえる。
　
（５）引用発明においては「第１インデックス表示領域」及び「第２インデックス表示領域」の「インデックス」の「操作」によって「積集合を求める動作」がなされるのであるから、「該探索条件選択釦を選択することにより、コンテンツの探索条件を設定し」ていると言える。
　そして、引用発明においては「前記積集合に含まれるディジタルデータに基づく画像を前記表示手段に表示する」のであるから、「設定された該探索条件に応じた該コンテンツリストを該コンテンツリスト表示エリアに表示させ」ているとも言える。
　したがって、引用発明も本件補正発明と同様に「該探索条件選択釦を選択することにより、コンテンツの探索条件を設定し、設定された該探索条件に応じた該コンテンツリストを該コンテンツリスト表示エリアに表示させ」るものであると言える。
　
（６）よって、本件補正発明は、下記一致点で引用発明と一致し、下記相違点で引用発明と相違する。
　
＜一致点＞
「記憶部に保存されたコンテンツの中から所望のコンテンツを選択するためのコンテンツ探索画面を画面表示するコンテンツ探索画面の表示方法であって、
　操作部からの操作に従って該記憶部に記憶されたコンテンツ探索画面を読み出して、情報表示部に表示し、
　該コンテンツ探索画面にコンテンツリストを表示する矩形状のコンテンツリスト表示エリアを設け、
　該矩形状のコンテンツ表示エリアの複数の辺それぞれの辺側毎に、コンテンツ探索のための異なる探索条件を表わす探索条件選択釦を表示した探索条件の表示エリアを設け、
　該探索条件選択釦を選択することにより、コンテンツの探索条件を設定し、設定された該探索条件に応じた該コンテンツリストを該コンテンツリスト表示エリアに表示させる
コンテンツ探索画面の表示方法。」
　
＜相違点１＞
　本件補正発明における探索条件の表示エリアはコンテンツ表示エリアの「四辺を囲うように」設けられている。
（これに対し、引用文献１には「インデックス表示領域」を２よりも多くし「検索画面」の下端部と左端部にも設けることは記載されていない。）
　
＜相違点２＞
　本件補正発明は「該探索条件の少なくとも１つは階層構造をなして、上位階層の探索条件と下位階層の探索条件毎に表示エリアが設けられて、夫々毎に探索条件の選択釦が設けられ、」「該上位階層の探索条件の表示エリアでの任意の探索条件の該選択釦を選択することにより、選択された該選択釦の探索条件に対する下位階層の探索条件の表示エリアに該選択釦が表示され、かつ選択された該上位階層の探索条件の選択釦以外の該上位階層の選択釦も選択可能な状態で表示される」ものである。
（これに対し、引用文献１には「インデックス」が階層化されている旨の記載は無い。）
　
　
３−５．判断
　以下、上記相違点について検討する。
　
（１）相違点１について
　引用文献１に「インデックス」は「日付データ」や「位置データ」に限るものではなく、「レンズのＦＮｏ.、被写体距離、画像サイズ等の種々の撮影情報をインデックスとして用いることができる」旨の記載がある（引用文献記載事項１−８参照。）ように、コンテンツの検索には様々な観点の組合せによる検索が要求されるものであるから、引用発明においてインデックス表示領域の数を増やすことも当然のごとく要求される課題である。そして、所謂タブボタンを用いたインタフェースにおいて、矩形の４辺のそれぞれにタブボタンを配置することも従来から適宜に採用されているデザインである（必要があれば、参考文献記載事項３−１、３−２、４−１等参照）。
　してみると、引用発明におけるインデックス表示領域の数を増やし、これを検索画面の下端部と左端部にも設けるようにすることで、探索条件の表示エリアがコンテンツ表示エリアの「四辺を囲うように」なされたものとすること、すなわち上記相違点１に係る構成を採用することは、当業者であれば適宜になし得た設計変更にすぎない。
　
（２）相違点２
　検索における選択項目を階層化することも、従来から適宜に採用されている周知慣用技術であり（必要があれば、引用文献記載事項２−１、３−１、３−２等参照）、引用発明におけるインデックスを階層化することも当業者であれば普通に想到し得た技術的要求にほかならない。
　また、選択項目を階層化した場合に上位の選択項目も選択可能に表示することも、適宜に採用されている構成である（必要があれば参考文献記載事項５−１、６−１等参照。）から、上記インデックスの階層化に当たって、上位のインデックスも選択可能に表示することも、当業者が適宜に採用し得た設計事項にすぎないものである。
　してみると、引用発明におけるインデックスの表示を「該探索条件の少なくとも１つは階層構造をなして、上位階層の探索条件と下位階層の探索条件毎に表示エリアが設けられて、夫々毎に探索条件の選択釦が設けられ、」「該上位階層の探索条件の表示エリアでの任意の探索条件の該選択釦を選択することにより、選択された該選択釦の探索条件に対する下位階層の探索条件の表示エリアに該選択釦が表示され、かつ選択された該上位階層の探索条件の選択釦以外の該上位階層の選択釦も選択可能な状態で表示される」との要件を満たすものとすること、すなわち上記相違点２に係る構成を採用することも、当業者であれば適宜に採用し得た設計事項にすぎないものである。
　
（３）してみると、本件補正発明の構成は引用発明に基づいて、当業者が容易に想到し得たものである。
　そして、上記相違点に係る構成の採用によって奏される作用効果も、当業者であれば容易に予測し得る程度のものであり格別顕著なものではない。
　よって、本件補正発明は、引用発明に基づいて、当業者が容易に発明をすることができたものである。
　
　
３−６．小結
　以上のとおり、本件補正発明は、その出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許出願の際独立して特許を受けることができないものである。
　
　
４．回答書の補正案について、
　請求人は上記回答書において、請求項１に更に「前記探索条件選択釦は、前記選択可能な状態のとき、前記探索条件の表示エリアの中で独立した状態で表示され、前記選択された状態では、前記コンテンツリスト表示エリアの各辺から前記探索条件の表示エリア内に突出したタブの中に含まれた状態で表示される」との限定を追加する補正案を提示しているが、これと同様のデザインもありふれたものである（必要があれば、参考文献記載事項７−１等参照。）から、該補正案の請求項１に係る発明も特許出願の際独立して特許を受けることができないものであり、かかる補正の機会を設けることには何ら益はない。
　
　
５．むすび
　以上のとおり、本件補正後の請求項１に係る発明は特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反する。
　したがって、本件補正は、同法第１５９条第１項において読み替えて準用する同法第５３条第１項の規定により却下しなければならないものである。
　
　よって、上記補正却下の決定の結論のとおり決定する。
　
　
第３．本件審判請求の成否について
　
１．手続の経緯、本願発明の認定
　本願の手続の経緯は上記第１．記載のとおりのものであり、更に、平成２４年３月１９日付けの手続補正は上記第２．のとおり却下された。
　したがって、本願の特許請求の範囲は、上記第１．２．（１）に記載したとおりのものであり、その請求項１に係る発明（以下「本願発明」と記す。）はそこに【請求項１】として記載したとおりのものである。
　
２．先行技術・引用発明の認定
　上記第２．３−２．（１）（２）で示したとおり、本願の出願前に頒布又は電気通信回線を通じて公衆に利用可能となり、原審の拒絶の査定の理由である上記平成２２年１２月２７日付けの拒絶理由通知において引用された上記引用文献にはそれぞれ上記引用文献記載事項が記載されており、本願の出願前に頒布又は電気通信回線を通じて公衆に利用可能となされた上記参考文献にはそれぞれ上記参考文献記載事項が記載されている。
　そして、上記引用文献１には上記第２．３−３．で認定したとおりの引用発明が記載されていると認められる。
　
３．対比・判断
　上記第２．３．で検討した本件補正発明は、本願発明に対し上記第２．２．で述べた限定的減縮をしたものであるから、本願発明は、上記本件補正発明から当該限定的減縮により限定される要件をなくしたものに相当する。
　そして、本願発明の構成要件を全て含み、更に他の要件を付加したものに相当する上記本件補正発明は、上記第２．３−５．に記載したとおり、上記引用発明に基づいて、当業者が容易に発明をすることができたものである。
　したがって、本願発明も同様の理由により、上記引用発明に基づいて、当業者が容易に発明をすることができたものである。
　
４．むすび
　以上のとおり、本願請求項１に係る発明は、その出願前に日本国内又は外国において頒布された刊行物に記載された発明又は電気通信回線を通じて公衆に利用可能となった発明に基いて、当業者が容易に発明をすることができたものであるから、特許法第２９条第２項の規定により特許を受けることができないものであり、他の請求項についての検討をするまでもなく、本願を拒絶すべきものとした原審の拒絶査定は妥当なものである。
　
　よって、上記結論のとおり審決する。